(57)【要約】　　　（修正有）【課題】一々試着室に衣料品を持ち込んで試着しなければならないという顧客の煩雑さをなくし、衣料品の汚れやキズの問題を生じることがなく、試着種類、サイズ等の制約がなく、採寸の誤りがなく、在庫を必要としない、仮想試着／試用システムを提供する。【解決手段】店舗１において顧客による特定の衣料品の試着要望に応答して、端末１１により、顧客が所持する少なくとも顧客の顔データと体形データを含む個人情報が格納されている携帯型記憶媒体または上記データを格納するデータベースから顔データと体形データを読み込み、顧客が前記特定衣料品を試着した試着状態をディスプレイ上に表示する。この表示画面により顧客が購入を決定した商品の商品データについて顧客の個人情報に基づいて定まる顧客に適合するオーダーデータを送信する。このオーダーデータを受信した部門では、オーダーデータに基づいて顧客に適合する特定商品を生産し、顧客側に配送する。【選択図】　　　図１
2004133876.tif 000002
【特許請求の範囲】
【請求項１】
予め定めた商品についてのデータが登録されており、顧客が特定の商品を選択したとき、前記顧客のもつ少なくとも前記顧客の顔データと体形データを含む情報が格納されている携帯型記憶媒体から前記顔データと体形データを読み込み、前記特定商品と前記顧客の姿とを組み合わせた状態を画面上に表示し、この表示画面により前記顧客が購入を決定した商品の商品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定商品を生産し、前記顧客側に配送することを特徴とする仮想試着／試用システム。
【請求項２】
所定のホームページ上に予め定めた商品についてのデータが登録されており、パソコンのディスプレイに表示される前記登録されている商品から顧客が特定の商品を選択したとき、前記顧客のもつ少なくとも前記顧客の顔データと体形データを含む情報が格納されている携帯型記憶媒体から前記顔データと体形データを前記パソコンにより読み込み、前記特定商品と前記顧客の姿とを組み合わせた状態を前記ディスプレイ画面上に表示し、この表示画面により前記顧客が購入を決定した商品の商品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定商品を生産し、前記顧客側に配送することを特徴とする仮想試着／試用システム。
【請求項３】
店舗において顧客による特定の衣料品の試着要望に応答して、前記店舗に設置された端末により、前記顧客が所持する少なくとも前記顧客の顔データと体形データを含む情報が格納されている携帯型記憶媒体から前記顔データと体形データを読み込み、前記顧客が前記特定衣料品を試着した試着状態をディスプレイ上に表示し、この表示画面により前記顧客が購入を決定した商品の商品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定商品を生産し、前記顧客側に配送することを特徴とする仮想試着／試用システム。
【請求項４】
所定のホームページ上に予め定めた衣料品についてのデータが登録されており、パソコンのディスプレイに表示される前記登録されている衣料品から顧客が特定の衣料品を選択したとき、前記顧客のもつ少なくとも前記顧客の顔データと体形データを含む情報が格納されている携帯型記憶媒体から前記顔データと体形データを前記パソコンにより読み込み、前記顧客が前記特定衣料品を試着した試着状態をディスプレイ上に表示し、この表示画面により前記顧客が購入を決定した衣料品の衣料品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定衣料品を生産し、前記顧客側に配送することを特徴とする仮想試着／試用システム。
【請求項５】
予め定めた商品についてのデータが登録されており、顧客が特定の商品を選択したとき、前記顧客の顔データと体形データを含む情報が格納されているデータベースから前記顔データと体形データを読み込み、前記特定商品と前記顧客の姿とを組み合わせた状態を画面上に表示し、この表示画面により前記顧客が購入を決定した商品の商品データについて前記データベースに格納されている情報に基づいて前記顧客に適合するオーダーデータを送信し、前記オーダーデータを受信した部門では、前記オーダーデータに基づいて前記顧客に適合する特定商品を生産し、前記顧客側に配送することを特徴とする仮想試着／試用システム。
【請求項６】
所定のホームページ上に予め定めた商品についてのデータが登録されており、パソコンのディスプレイに表示される前記登録されている商品から顧客が特定の商品を選択したとき、前記顧客の顔データと体形データを含む情報が格納されているデータベースから前記顔データと体形データを前記パソコンにより読み込み、前記特定商品と前記顧客の姿とを組み合わせた状態を前記ディスプレイ画面上に表示し、この表示画面により前記顧客が購入を決定した商品の商品データについて前記データベースに格納されている情報に基づいて前記顧客に適合するオーダーデータを送信し、前記オーダーデータを受信した部門では、前記オーダーデータに基づいて前記顧客に適合する特定商品を生産し、前記顧客側に配送することを特徴とする仮想試着／試用システム。
【請求項７】
店舗において顧客による特定の衣料品の試着要望に応答して、前記店舗に設置された端末により、少なくとも前記顧客の顔データと体形データを含む情報が格納されているデータベースから前記顔データと体形データを読み込み、前記顧客が前記特定衣料品を試着した試着状態をディスプレイ上に表示し、この表示画面により前記顧客が購入を決定した商品の商品データについて前記データベースに格納されている情報に基づいて前記顧客に適合するオーダーデータを送信し、前記オーダーデータを受信した部門では、前記オーダーデータに基づいて前記顧客に適合する特定商品を生産し、前記顧客側に配送することを特徴とする仮想試着／試用システム。
【請求項８】
所定のホームページ上に予め定めた衣料品についてのデータが登録されており、パソコンのディスプレイに表示される前記登録されている衣料品から顧客が特定の衣料品を選択したとき、前記顧客の顔データと体形データを含む情報が格納されているデータベースから前記顔データと体形データを前記パソコンにより読み込み、前記顧客が前記特定衣料品を試着した試着状態をディスプレイ上に表示し、この表示画面により前記顧客が購入を決定した衣料品の衣料品データについて前記データベースに格納されている情報に基づいて前記顧客に適合するオーダーデータを送信し、前記オーダーデータを受信した部門では、前記オーダーデータに基づいて前記顧客に適合する特定衣料品を生産し、前記顧客側に配送することを特徴とする仮想試着／試用システム。
【請求項９】
前記オーダーデータは、所定の管理会社を介して生産会社に送信され、前記オーダーデータを受信した前記生産会社では、前記オーダーデータに基づいて前記顧客に適合する特定商品を生産し、前記顧客側に配送することを特徴とする請求項１乃至８のいずれかに記載の仮想試着／試用システム。
【請求項１０】
前記パソコンには、前記携帯型記憶媒体に格納されている情報を読み込むリーダーが設置されていることを特徴とする請求項２または４に記載の仮想試着／試用システム。
【請求項１１】
前記携帯型記憶媒体には、顧客が利用する少なくとも１枚の決済用カードの情報が格納されていることを特徴とする請求項１乃至４のいずれかに記載の仮想試着／試用システム。
【請求項１２】
前記商品購入を前記決済用カードで決済するときには、前記携帯型記憶媒体に格納されている決済用カードの情報と、前記顧客の所持する決済用カードの情報とを照合して不正使用を防止することを特徴とする請求項１乃至４のいずれかに記載の仮想試着／試用システム。
【請求項１３】
前記携帯型記憶媒体はカード状である請求項１乃至４のいずれかの仮想試着／試用システム。
【請求項１４】
前記オーダーデータは、前記顧客の体形データと前記購入を決定した衣料品データに基づいて生成されたサイズデータを含むことを特徴とする請求項３、４、７または８に記載の仮想試着／試用システム。
【発明の詳細な説明】
【発明の属する技術分野】
【０００１】
本発明は、仮想試着／試用システムに関し、特に一々実際に試着せずとも試着状態を視認して在庫をもたない最適流通システムを実現できる仮想試着／試用システムに関する。
【０００２】
【従来の技術】
例えば、衣料品を店舗で購入する場合、通常、顧客は店舗に出向き、気に入った衣料品、例えば、スーツを試着室に持ち込んで試着し、鏡に映る当該衣料を着た自己の姿を目視し、自分に似合うか否かを確認する。このとき、試着後の自己の姿が似合わないと考えたときには、他の衣料品を持ち込んで同様に姿見鏡に映る自己の姿を確認し、最終的に気に入った衣料品を選択して購入する。
【０００３】
【発明が解決しようとする課題】
上述した従来の仮想試着／試用システムは、次のような問題点または課題を有する。
【０００４】
（１）従来は、顧客が店舗に出向き、試着を希望する衣料品を試着室に持ち込んで試着し、鏡に映る試着した自己の姿を目視し、自分に似合うか否かを確認しており、通常は多くの衣料品についての試着後、最終的に最も気に入った衣料品を決定するので、一々試着室に衣料品を持ち込んで試着しなければならず、煩雑であるばかりでなく、試着を繰り返された衣料品は汚れが付いたり、キズが付いたりして売り物にならなくこともあるという問題がある。
【０００５】
（２）店舗においておく衣料品の数、種類、ブランド等には限りがあり、顧客はこの限られた範囲内の衣料品から選択せざるを得ず、充分な選択肢が用意されていない。そして、店舗内におく衣料品は、顧客の要望が強いにもかからわず、有名ブランドの有名衣料品がおかれることは少なく、折角の商機を逃していた。
【０００６】
（３）店舗においていないサイズの衣料品については試着さえできず、顧客にとっては不満が残る。
【０００７】
（４）顧客の体形に合致する衣料品がなくても顧客がどうしてもその衣料品が欲しい場合には、特注のオーダーをすることになるが、店員によるサイズの採寸の誤りが生じたり、そのための人員の確保等、人件費の問題も生ずる。
【０００８】
（５）衣料品を生産する生産会社は、ブランドメーカーや店舗からの依頼により衣料品を生産するが、従来は、売れ行き具合を想定した、または余裕をもった見込み生産をしている、しかし、必ず売れ残りが生じるのでコスト面での問題も生ずる。
【０００９】
そこで、本発明の目的は、
（１）一々試着室に衣料品を持ち込んで試着しなければならないという顧客の煩雑さをなくし、
（２）試着を繰り返された衣料品の汚れやキズの問題を生じることがなく、
（３）顧客が試着可能な種類、サイズ等の衣料品に基本的に制約がなく、特注のオーダーであってもサイズの採寸の誤りがなく、
（４）衣料品を生産する生産会社にとって見込み生産の必要性がなく在庫をもたず、
（５）個人情報カードの紛失や盗難時の当該個人情報の流失や悪用を防止することができる、
仮想試着／試用システムを提供することにある。
【００１０】
【課題を解決するための手段】
前述の課題を解決するため、本発明による仮想試着／試用システムは、次のような特徴的な構成を採用している。
【００１１】
（１）予め定めた商品についてのデータが登録されており、顧客が特定の商品を選択したとき、前記顧客のもつ少なくとも前記顧客の顔データと体形データを含む情報が格納されている携帯型記憶媒体から前記顔データと体形データを読み込み、前記特定商品と前記顧客の姿とを組み合わせた状態を画面上に表示し、この表示画面により前記顧客が購入を決定した商品の商品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定商品を生産し、前記顧客側に配送する仮想試着／試用システム。
【００１２】
（２）所定のホームページ上に予め定めた商品についてのデータが登録されており、パソコンのディスプレイに表示される前記登録されている商品から顧客が特定の商品を選択したとき、前記顧客のもつ少なくとも前記顧客の顔データと体形データを含む情報が格納されている携帯型記憶媒体から前記顔データと体形データを前記パソコンにより読み込み、前記特定商品と前記顧客の姿とを組み合わせた状態を前記ディスプレイ画面上に表示し、この表示画面により前記顧客が購入を決定した商品の商品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定商品を生産し、前記顧客側に配送する仮想試着／試用システム。
【００１３】
（３）店舗において顧客による特定の衣料品の試着要望に応答して、前記店舗に設置された端末により、前記顧客が所持する少なくとも前記顧客の顔データと体形データを含む情報が格納されている携帯型記憶媒体から前記顔データと体形データを読み込み、前記顧客が前記特定衣料品を試着した試着状態をディスプレイ上に表示し、この表示画面により前記顧客が購入を決定した商品の商品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定商品を生産し、前記顧客側に配送する仮想試着／試用システム。
【００１４】
（４）所定のホームページ上に予め定めた衣料品についてのデータが登録されており、パソコンのディスプレイに表示される前記登録されている衣料品から顧客が特定の衣料品を選択したとき、前記顧客のもつ少なくとも前記顧客の顔データと体形データを含む情報が格納されている携帯型記憶媒体から前記顔データと体形データを前記パソコンにより読み込み、前記顧客が前記特定衣料品を試着した試着状態をディスプレイ上に表示し、この表示画面により前記顧客が購入を決定した衣料品の衣料品データについて前記顧客の携帯型記憶媒体に格納されている情報に基づいて前記顧客に適合するオーダーデータを送信し、前記オーダーデータを受信した部門では、前記オーダーデータに基づいて前記顧客に適合する特定衣料品を生産し、前記顧客側に配送する仮想試着／試用システム。
【００１５】
（５）予め定めた商品についてのデータが登録されており、顧客が特定の商品を選択したとき、前記顧客の顔データと体形データを含む情報が格納されているデータベースから前記顔データと体形データを読み込み、前記特定商品と前記顧客の姿とを組み合わせた状態を画面上に表示し、この表示画面により前記顧客が購入を決定した商品の商品データについて前記データベースに格納されている情報に基づいて前記顧客に適合するオーダーデータを送信し、前記オーダーデータを受信した部門では、前記オーダーデータに基づいて前記顧客に適合する特定商品を生産し、前記顧客側に配送する仮想試着／試用システム。
【００１６】
（６）所定のホームページ上に予め定めた商品についてのデータが登録されており、パソコンのディスプレイに表示される前記登録されている商品から顧客が特定の商品を選択したとき、前記顧客の顔データと体形データを含む情報が格納されているデータベースから前記顔データと体形データを前記パソコンにより読み込み、前記特定商品と前記顧客の姿とを組み合わせた状態を前記ディスプレイ画面上に表示し、この表示画面により前記顧客が購入を決定した商品の商品データについて前記データベースに格納されている情報に基づいて前記顧客に適合するオーダーデータを送信し、前記オーダーデータを受信した部門では、前記オーダーデータに基づいて前記顧客に適合する特定商品を生産し、前記顧客側に配送する仮想試着／試用システム。
【００１７】
（７）店舗において顧客による特定の衣料品の試着要望に応答して、前記店舗に設置された端末により、少なくとも前記顧客の顔データと体形データを含む情報が格納されているデータベースから前記顔データと体形データを読み込み、前記顧客が前記特定衣料品を試着した試着状態をディスプレイ上に表示し、この表示画面により前記顧客が購入を決定した商品の商品データについて前記データベースに格納されている情報に基づいて前記顧客に適合するオーダーデータを送信し、前記オーダーデータを受信した部門では、前記オーダーデータに基づいて前記顧客に適合する特定商品を生産し、前記顧客側に配送する仮想試着／試用システム。
【００１８】
（８）所定のホームページ上に予め定めた衣料品についてのデータが登録されており、パソコンのディスプレイに表示される前記登録されている衣料品から顧客が特定の衣料品を選択したとき、前記顧客の顔データと体形データを含む情報が格納されているデータベースから前記顔データと体形データを前記パソコンにより読み込み、前記顧客が前記特定衣料品を試着した試着状態をディスプレイ上に表示し、この表示画面により前記顧客が購入を決定した衣料品の衣料品データについて前記データベースに格納されている情報に基づいて前記顧客に適合するオーダーデータを送信し、前記オーダーデータを受信した部門では、前記オーダーデータに基づいて前記顧客に適合する特定衣料品を生産し、前記顧客側に配送する仮想試着／試用システム。
【００１９】
（９）前記オーダーデータは、所定の管理会社を介して生産会社に送信され、前記オーダーデータを受信した前記生産会社では、前記オーダーデータに基づいて前記顧客に適合する特定商品を生産し、前記顧客側に配送する上記（１）乃至（８）のいずれかの仮想試着／試用システム。
【００２０】
（１０）前記パソコンには、前記携帯型記憶媒体に格納されている情報を読み込むリーダーが設置されている上記（２）または（４）の仮想試着／試用システム。
【００２１】
（１１）前記携帯型記憶媒体には、顧客が利用する少なくとも１枚の決済用カードの情報が格納されている上記（１）乃至（４）のいずれかの仮想試着／試用システム。
【００２２】
（１２）前記商品購入を前記決済用カードで決済するときには、前記携帯型記憶媒体に格納されている決済用カードの情報と、前記顧客の所持する決済用カードの情報とを照合して不正使用を防止する上記（１）乃至（４）のいずれかの仮想試着／試用システム。
【００２３】
（１３）前記携帯型記憶媒体はカード状である上記（１）乃至（４）のいずれかの仮想試着／試用システム。
【００２４】
（１４）前記オーダーデータは、前記顧客の体形データと前記購入を決定した衣料品データに基づいて生成されたサイズデータを含む上記（３）、（４）、（７）または（８）の仮想試着／試用システム。
【００２５】
【発明の実施の形態】
以下、本発明による仮想試着／試用システムの好適実施形態例を添付図、特に図１を参照して詳細に説明する。
【００２６】
図１は本発明による仮想試着／試用システムの一実施形態のシステム構成図である。尚、以下の実施形態の説明では、顧客が購入する商品は衣料品としているが、本発明は衣料品に限らず同様な商品にも適用できることは勿論である。
【００２７】
図１に示す仮想試着／試用システムでは、顧客が購入する衣料品を選択し、試着（試用）状態を仮想的に視認でき、顧客が購入を決めた衣料品のデータを送信する装置を備える店舗１と、店舗１からの顧客が購入を決めた衣料品のデータを受信し、生産メーカー３に注文データ（オーダーデータ）として送信する管理会社としての情報センター２と、情報センター２からのオーダーデータを受信し、当該データに基づいて注文された衣料品を生産し、顧客に配送する生産メーカー３とを主要な構成とする。
【００２８】
図１において、衣料品を販売する店舗１には、決済用カード（例えば、ＩＣカードや磁気カード等）としてのクレジットカードを読み込むとともに、個人情報カード（例えば、ＩＣカードや磁気カード等）に格納されている情報を読み込む端末１１が設置されている。
【００２９】
決済用カードは、通常のクレジットカードやデビットカード等の任意の決済に用いられるカードである。個人情報カードは、当該カードを発行された顧客の個人情報が格納され、基本情報としての当該顧客の名前データ、顔データ、体形データ、当該個人のＩＤコード、決済に用いられる少なくとも１枚の決済用カードを特定する情報、登録日データ等が格納されている。体形データには、体のサイズデータ（例えば、身長や３サイズデータ等）や上半身（顔を含む）を含んでいる。
【００３０】
個人情報カードは、顧客が店舗１に出向いて、顧客の氏名、住所、店舗内で顧客の顔写真等をデジタルカメラで撮影して得られた顔データや実測または自己申告した身長、３サイズ等の体形データ、顧客が使用する決済用カードを特定する情報等を例えばＩＣカード等に記録して作成し、作成されたＩＣカードを個人情報カードとして顧客に発行する。この個人情報カードの発行は、顧客が店舗に一々出向かなくとも自宅等でデジタルカメラを用いて顔画像データを取得し、上記情報とともに管理会社にインターネット等を介して送信し、管理会社が受信したデータに基づいて上記個人情報カードを発行して顧客に送付するようにしても良い。このとき、本システムの加盟店の特有の情報（お得情報等）を一緒に送付するサービスも好ましい。
【００３１】
さて、店舗１に出向いた顧客は、店舗内にあるサンプルやカタログ（現物だけでなくパソコン画面で表示されるものを含む）を見て、気に入った衣料品、ブランドを特定する型番を店員に示し、個人情報カードを渡す。店員は、当該型番を端末１１（パソコンコンピュータで代用も可）に入力するとともに、個人情報カードを端末１１で読み取らせて顔データや体形データを取得し、型番で特定される衣料品を個人情報カードに格納されている体形、顔の人物が試着した状態を信号処理により視覚的に再現して仮想的にディスプレイに表示する。顧客が選択したいくつかの衣料品の型番について同様に試着状態の画像をディスプレイに表示し、顧客がその中で最も気に入った衣料品の購入を決めたとき、顧客は当該衣料品の注文と決済を行う。
【００３２】
店員は、顧客からの注文を受けると、端末１１により顧客の決済用カードとしてのクレジットカードの内容を読み込ませる。例えば、クレジットカードに記録されている個人データを、端末１１に設置されている磁気リーダーにクレジットカードを通すことにより読み込んだり、他の形態で記録されている場合には当該形態のデータ読み込みに適合する処理により読み込む。その後、クレジットカード会社に対する信用照会や付加価値税を含むクレジット売上データをクレジットカード会社４に送信する。
【００３３】
ここで、この衣料品購入の決済は、クレジットカード等の決済用カードに限らず、現金決済でもよいことは勿論である。この場合は、クレジット会社４には何らの情報も送信しない。
【００３４】
店員は、また、顧客が注文した衣料品の型番情報とともに当該顧客の体形データ（サイズデータ）をも端末１１から入力して管理会社としての情報センター２に送出する。このとき、体系データは、個人情報カードに格納されている体系データ（身長、３サイズ等）に基づいて自動的に作成される。
【００３５】
以上のように、店舗１には、衣料品のサンプルのみをおいておけば良く、在庫をもつ必要がなく、狭面積で小規模店舗で良く、本システムの拡張性が確保できる。
【００３６】
情報センター２では、店舗１から送信された型番情報と体系データを受け、これらを該当する衣料品の注文があったことをオーダーデータとして生産メーカー３に送信する。
【００３７】
生産メーカー３では、情報センター２から受信したオーダーデータに基づいて当該顧客が注文したメーカー、ブランド、サイズの衣料品を生産し、宅配便等の運送手段を介して店舗１に配送する。顧客は店舗から衣料品を受領する。尚、この生産メーカーからの配送は顧客が指定した住所宛に行うこともできる。この運送先の住所は、個人情報カードに住所が登録されていれば、その住所でもよいし、店舗で顧客が届け先を指定しているのであれば、指定された住所宛に送ることもできる。
【００３８】
店舗１における売上時の処理フローを図２を参照して説明する。先ず、顧客が店舗においてあるカタログとサンプルを見て、試着したい衣料品を見つけると、店員は顧客から受け取った個人情報カードに格納されている個人情報を端末１１により読み込む（ステップＳ１）。続いて、顧客が試着を希望する衣料品のジャンル（コート、スーツ、スカート等の商品種別、ブランド別）を端末１１やパソコン等により指定すると（ステップＳ２）、端末１１やパソコンは上記顧客の顔データや体形データ等の情報に基づいて、顧客が指定した衣料品を着た状態、つまり試着状態の画像がディスプレイに３次元（３Ｄ）表示される（ステップＳ３）。
【００３９】
こうして、顧客が試着を希望する種々の衣料品について個人情報カードに格納されている顧客自身の体形データに基づいて試着状態の画面がディスプレイに表示される。顧客が表示画面を確認して特定の衣料品が決定されると、商品を注文（オーダー）する（ステップＳ４）。次の処理は注文衣料品についての決済である。この決済は、現金で行っても良いし、クレジットカードやデビットカードを用いても良い。そのため、端末１１で顧客の所持する例えばクレジットカードを読み込み（ステップＳ５）、顧客が購入した衣料品についての売上金額を入力する（ステップＳ６）。
【００４０】
このとき、顧客が購入を決定した衣料品を特定する衣料品データは、ディスプレイに表示する際に顧客に適合された状態であるから、注文した衣料品のサイズも自動的に設定されたことになり、このサイズを含めた衣料品データはいわゆる特注オーダーに相当し、情報センター２に無線やインターネット等の通信媒体を介して送信される。その結果、オーダーデータが自動作成され、そのための人件費が不要となり、オーダーミスも防止できる。
【００４１】
ここで、個人情報カードには顧客が所持する（利用する）少なくとも１枚の決済用カードの情報が予め格納されているので、衣料品の購入時の決済にクレジットカードを用いる場合、個人情報カードに登録されているクレジットカードの情報と照合すれば、当該クレジットカードの不正使用を防止することができる。特に、本発明の場合、個人情報カードには顔データが格納されているので、顔で顧客を確認でき更なる不正防止効果を上げることができる。
【００４２】
生産会社３は、店舗１に品揃えしてある（カタログ、端末やパソコンの画面上で）衣料品について送信された注文データに基づいて上記ジャンルの特定衣料品の注文を出した顧客の体形データに対応する（適合する）サイズの衣料品を生産するが、生産会社３にとっては、生産する衣料品は常にサイズが顧客特有に定まる特別注文となる。したがって、従来のような、売れ行き具合を想定した、または余裕をもった見込み生産をして売れ残りが生じ、コスト面での問題が生ずる余地はなくなり、在庫をもたない最適流通システムを確保できる。また、データはすべて電子化され、データ入力コスト及び正確なデータとして利用できる。
【００４３】
上述の実施形態では、顧客が店舗に出向いて衣料品のサンプルを見て、試着を希望する衣料品を決め、顧客の顔データや体形データが格納されている個人情報カードを端末１１で読み込んで、顧客の体形に適合する当該試着希望衣料品の試着状態の画像をディスプレイに表示して、試着状態を視認した後、希望の衣料品を決定して注文している。
【００４４】
一方、顧客が店舗に一々出向くことなく自宅でインターネット等の通信媒体を介して同様な処理を行うこともできる。ただし、この場合には上述実施形態のように、サンプルを確認することはできないが、上記店舗でサンプルを確認した後、自宅でじっくりと試着を希望する衣料品を選択することができる。図１にはかかる実施形態の構成も示されている。すなわち、店舗外の、例えば自宅５で顧客はインターネットに接続されているパソコンを用いて上記店舗に相当するホームページ上で試着希望衣料品を選択する。また、パソコンには、上述実施形態における端末１１に相当するカードリーダーがＵＳＢ等の接続手段により接続されており、上記個人情報カードの情報をカードリーダーで読み取り、パソコンディスプレイ上で上述と同様な顧客の顔と体形で試着した状態が表示される。
【００４５】
こうして試着希望の衣料品のすべてについてディスプレイ上に試着状態が順次表示されるからその中から購入を決定した衣料品についてオーダー操作をパソコン上で行うことにより、注文衣料品データが情報センター２に送出される。この場合の決済処理は、クレジットカードで行うのが望ましいが、注文した現物の受領と引き換えに代金を支払う代引きで行ったり、他の任意の決済が行える。上記カードリーダーは、通常のパソコンユーザーは使う頻度は小さいが、管理会社や生産会社が費用を負担して無料で将来有力顧客になり得る特定のユーザに対して配布すれば、本システムの拡充を図ることができる。また、カードリーダーの代わりに、通常のパソコンで格納されている情報の読み取りが可能な任意の記録媒体を用いることもできる。
【００４６】
上述の実施形態において、情報センター２からは店舗１や自宅５で顧客の操作するパソコンに対して最新の衣料品データを逐次送信して更新処理することができる。したがって、カタログを不要とすることもできる。
【００４７】
上述実施形態における情報センター２（管理会社）は、顧客から上記処理のための手数料を売上金額に応じて、または固定金額を徴収し、また、生産会社３からも手数料を徴収することにより、顧客、情報センター及び生産会社の３者にとって有益である。
【００４８】
上述実施形態では、衣料品を対象としたが、顧客固有のデータに適合する商品を関連付けてディスプレイに表示させるものであれば、衣料品に限定されないことは明らかである。
【００４９】
また、個人情報カードを用いて衣料品等を購入する度に店舗には当該顧客の購入商品データが蓄積されるので、顧客の将来の購入商品について、または新商品の売り込みや、関連する商品（購入した衣料品に最適な装飾品）の売り込み活動を展開することができる。
【００５０】
このように、顧客は、ブランド衣料品を購入するときに、わざわざ多数のブランド衣料品をおいているブランド店に行く必要がなく、サンプルのみをおき在庫をもたない小規模店舗やインターネットのホームページ上で希望衣料品の試着を希望する衣料品について試着状態を画像で視認できるので、試着のための着替えの必要がなく、海外のブランドであっても安心して購入できる。また、すべての商品、すべてのサイズをオーダーでき、入手までの時間も短縮できるだけでなく、オーダー生産で品切れがなく入手も確実に保障される。更に、本システムは、基本的に個人輸入に相当するので、付加価値税のような税金面でも顧客にとって魅力あるものである。
【００５１】
上述の実施形態では個人情報カードには、当該カードを発行された顧客の個人情報が格納され、基本情報としての当該顧客の名前データ、顔データ、体のサイズデータ（例えば、身長や３サイズデータ等）、当該個人のＩＤコード、決済に用いられる少なくとも１枚の決済用カードを特定する情報、登録日データ等の顧客にとってのプライバシー情報が格納されている。したがって、この個人情報カードを紛失した場合や盗難に遭ったりした場合には、当該個人情報が流失してしまい悪用されてしまう恐れが生ずる。
【００５２】
そこで、本発明の他の実施形態は、図３に示すようなシステム構成図を採用して上記問題点を解消若しくは軽減するもので、個人情報カードには当該顧客の認証に必要な最小限の情報のみを格納しておき、他の重要な個人情報は、管理会社としての情報センターに設置されているデータベースに格納しておく。
【００５３】
この実施形態では、店舗１に出向いた顧客は、個人情報カードを店員に渡す。店員は、当該個人情報カードを端末１１で読み取らせて管理会社としての情報センター２に送出する。顧客の正当性が確認された後、情報センター２は、受信した個人情報に基づいて、データベース２１に格納されている当該顧客の顔データや体形データ等を読み出して、店舗の端末１１に送信する。端末１１側では、例えば、型番で特定される衣料品を上記受信した当該顧客の体形、顔の人物が試着した状態を信号処理により視覚的に再現して仮想的にディスプレイに表示する。顧客が選択したいくつかの衣料品の型番について同様に試着状態の画像をディスプレイに表示し、顧客がその中で最も気に入った衣料品の購入を決めたとき、顧客は当該衣料品の注文と決済を行う。
【００５４】
衣料品の注文と決済は、上述の実施形態と同様であり、現金決済が可能であり、また、端末１１による顧客の決済用カードとしてのクレジットカードの内容の読み込ませた後、クレジットカード会社に対する信用照会や付加価値税を含むクレジット売上データをクレジットカード会社４に送信する。
【００５５】
情報センター２のデータベース２１への個人情報の格納は次のように行われる。すなわち、顧客が店舗１に出向いて、顧客の氏名、住所、店舗内で顧客の顔写真等をデジタルカメラで撮影して得られた顔データや実測または自己申告した身長、３サイズ等の体形データを個人情報として得、得られた個人情報データを情報センター２に送出してデータベース２１に格納する。
【００５６】
上述実施形態において、情報センター２は必ずしも必須ではなく、生産メーカー３がその機能を持っていても良く、逆に情報センター２が生産部門を持っていても良い。また、個人情報カードは、カード状である必要はなく、携帯が可能な任意の記憶媒体を用いることができることは勿論である。
【００５７】
以上、本発明の仮想試着／試用システムの好適実施形態例を説明したが、これは単なる例示にすぎず、特定用途に応じて種々の変形変更が可能であること勿論である。
【００５８】
【発明の効果】
上述の如く、本発明の仮想試着／試用システムによれば以下のような顕著な効果が得られる。すなわち、本発明では、店舗には、衣料品のサンプルのみをおいておけば良く（ときにサンプルもおかず、端末やパソコンのディスプレイに商品を表示するだけでも良い）、在庫をもつ必要がなく、狭面積で小規模店舗で良く、本システムの拡張性が確保できる。また、個人情報カードには顧客が所持する（利用する）少なくとも１枚の決済用カードの情報が予め格納されているので、衣料品の購入時の決済にクレジットカードを用いる場合、個人情報カードに登録されているクレジットカードの情報と照合すれば、当該クレジットカードの不正使用を防止することがきる。
【００５９】
また、生産会社は、顧客の体形データに対応する（適合する）サイズの衣料品を生産するため、従来のような見込み生産に伴う売れ残り等のコスト面での問題を解決することができ、在庫をもたない最適流通システムを実現できる。
【００６０】
更に、顧客にとっては、店舗やインターネットのホームページ上で希望衣料品の試着を希望する衣料品について試着状態を画像で視認できるので、試着のための着替えの必要がなく、海外のブランドであっても安心して購入でき、常にオーダー生産で品切れがなく入手も確実に保障される。
【００６１】
また、実際の衣料品を試着するものではないため、試着の繰り返しにより衣料品に汚れやキズが付いたりすることはなくなる。
【００６２】
更に、個人情報カードの紛失や盗難時の当該個人情報の流失や悪用を防止することもできる。
【００６３】
そこで、本発明の他の実施形態は、上記問題点を解消若しくは軽減するもので、個人情報カードには当該顧客の認証に必要な最小限の情報のみを格納しておき、他の重要な個人情報は、管理会社としての情報センターに設置されているデータベースに格納しておく。
【００６４】
上述の如く、本発明によれば、一々試着室に衣料品を持ち込んで試着しなければならないという顧客の煩雑さをなくすとともに、試着を繰り返された衣料品の汚れやキズの問題を生じることがなく、顧客が試着可能な種類、サイズ等の衣料品に基本的に制約がなく、特注のオーダーであってもサイズの採寸の誤りがない、更に衣料品を生産する生産会社にとって見込み生産の必要性がなく在庫をもたない最適流通システムを実現できる仮想試着／試用システムが得られる。
【図面の簡単な説明】
【図１】本発明の一実施形態による仮想試着／試用システムのシステム構成図である。
【図２】図１の実施形態における店舗側での処理手順を示すフローチャートである。
【図３】本発明の他の実施形態による仮想試着／試用システムのシステム構成図である。
【符号の説明】
１　　店舗
２　　情報センター
３　　生産会社（生産メーカー）
４　　決済カード会社
５　　店舗外（自宅）
１１　端末
２１　データベース
【図１】
2004133876.tif 000003
【図２】
2004133876.tif 000004
【図３】
2004133876.tif 000005